(57)【特許請求の範囲】
【請求項１】
投入指令スイッチと、この投入指令スイッチの入動作により励磁される投入コイルと、引外し指令スイッチと、この引外し指令スイッチの入動作により励磁される電圧引外しコイルと、上記投入指令スイッチと直列に接続されたインターロック回路と、上記引外し指令スイッチと並列に接続された保護継電器と、モード切替スイッチを閉とすることにより制御信号が入力されても上記投入コイル及び上記電圧引外しコイルが動作しないようにするためのモード切替リレーと、上記モード切替スイッチを閉としたとき投入指令アンサーリレーを介して送られる信号により上記インターロック回路の動作を監視するとともに、引外し指令アンサーリレーを介して送られる信号により上記保護継電器の動作を監視するための監視装置とを設けたことを特徴とする遮断器の制御回路。
【発明の詳細な説明】
【０００１】
【発明の属する技術分野】
この発明は、電力系統の開閉に用いられる遮断器に関するもので、特に遮断器の制御回路の診断等を自動的に行うことが出来る装置に関するものである。
【０００２】
【従来の技術】
図１０は従来の遮断器の制御回路を示す基本回路図であり、この図は、遮断器が“開路”状態で、投入ばねが放勢された状態を示している。図において、４１は投入指令スイッチ、４２は引外し指令スイッチ、４３は投入ばね蓄勢用の電動機、４４は投入コイル、４５は電圧引外しコイル、４６はリミットスイッチ（ばね蓄勢検出接点）、４７はリミットスイッチ（電動機４３の起動／停止用）、４８ａ，４８ｂは遮断器補助接点、４９は電動機用補助リレー、５０はポンピング防止用補助リレー、Ｒ１，Ｒ２，Ｒ３，Ｒ４はそれぞれ抵抗である。
【０００３】
次に動作について説明する。閉路操作の場合、まず、電源を接続することにより、リミットスイッチ４７を介して補助リレー４９のコイルが励磁され、補助リレー４９の接点が閉となり、リミットスイッチ４７、及び補助リレー４９の接点を介して、電動機４３が起動し、投入ばねの蓄勢を開始する。投入ばねが完全に蓄勢されると、リミットスイッチ４７が開となり、電動機４３は停止する。同時にリミットスイッチ４６が閉となり、閉路制御回路が形成される。
【０００４】
この状態で、投入指令スイッチ４１を閉とすることにより、投入コイル４４が励磁されて、操作機構部の投入ラッチが解除され、蓄勢された投入ばねのエネルギーで遮断器は閉路（投入）される。この時、投入ばねの放勢によりリミットスイッチ４７は閉となり、リミットスイッチ４６は開となる。
リミットスイッチ４７が閉となることにより、電動機４３は起動して、投入ばねの蓄勢を行い、次の投入操作に備える。
【０００５】
遮断器が閉路（投入）されると、遮断器補助接点４８ｂは開となり、投入コイル４４の励磁を断つとともに、補助接点４８ａは閉となり、電圧引外しコイル４５の引外し回路を形成するとともに、ポンピング防止用補助リレー５０を励磁する。
【０００６】
次に引外し操作について説明する。図示しない検出回路が異常を検出したり、あるいは手動で回路を遮断したいとき、引外し指令スイッチ４２を閉とすることにより、電圧引外しコイル４５が励磁されて、操作機構部の引外しラッチの係合が解除され、遮断器は開となる。
【０００７】
【発明が解決しようとする課題】
従来の遮断器の制御回路は以上のように構成されていたので、投入指令スイッチ、および引外し指令スイッチが入力されると、遮断器が実動作してしまい、受配電設備が実稼動している状態下では、遮断器制御回路の健全性をチェックするために動作させることはできないという問題点があった。
【０００８】
この発明は、以上のような問題点を解決するためになされたもので、稼動中に遮断器制御回路の健全性をチェックすることができる装置を提供することを目的とする。
【０００９】
【課題を解決するための手段】
この発明の請求項１に係る遮断器の制御回路は、投入指令スイッチと、この投入指令スイッチの入動作により励磁される投入コイルと、引外し指令スイッチと、この引外し指令スイッチの入動作により励磁される電圧引外しコイルと、投入指令スイッチと直列に接続されたインターロック回路と、引外し指令スイッチと並列に接続された保護継電器と、モード切替スイッチを閉とすることにより制御信号が入力されても投入コイル及び電圧引外しコイルが動作しないようにするためのモード切替リレーと、モード切替スイッチを閉としたとき投入指令アンサーリレーを介して送られる信号によりインターロック回路の動作を監視するとともに、引外し指令アンサーリレーを介して送られる信号により保護継電器の動作を監視するための監視装置とを設けたものである。
【００１２】
【発明の実施の形態】
実施の形態１．
以下、この発明の一実施形態を図に基づいて説明する。
図１はこの発明の実施の形態１による投入回路および引外し回路のモードを切り替えるためのモード切替リレーを有した遮断器の制御回路であり、図において、１は投入指令スイッチ、２は引外し指令スイッチ、３はモード切替スイッチ、４は投入ばね蓄勢用の電動機、５は投入コイル、６は電圧引外しコイル、７はリミットスイッチ（ばね蓄勢検出接点）、８はリミットスイッチ（電動機４の起動／停止用）、９ａ，９ｂは遮断器補助接点、１０は電動機４用の補助リレー、１１はポンピング防止用の補助リレー、Ｒ１，Ｒ２，Ｒ３，Ｒ４はそれぞれ抵抗、１２は投入指令アンサーリレーであり、投入指令コイル１２ａとアンサーバック接点１２ｂからなる。１３は引外し指令アンサーリレーであり、引外し指令コイル１３ａとアンサーバック接点１３ｂからなる。
又、１４はモード切替リレー、１４ａ，１４ｂはモード切替リレー１４に連動するモード切替リレー補助接点である。
【００１３】
次に図２は開路状態（投入ばね放勢状態）における遮断器の機械的構成を示す側面図であり、図において、１５は投入カム、１６は投入ラッチ、１７は復帰ばね、１８は引外しラッチピン、１９は復帰ばね、２０は引外しラッチ、２１は投入ばねロッド、２２は投入ばね、２３は蓄勢軸、２４は小歯車、２５は大歯車、２６は出力ローラ、２７は出力レバー、２８は主接点、２９はダンパー、３０は引外しばねである。
又、図３は開路状態（投入ばね蓄勢状態）、図４は閉路動作中、図５は閉路状態（投入ばね放勢状態）、図６は閉路状態（投入ばね蓄勢状態）を示す遮断器の側面図である。
【００１４】
次に動作について説明する。遮断器制御回路の健全性をチェックしない場合、すなわち通常の運転状態では、モード切替スイッチ３は開状態である。この時、モード切替リレー補助接点１４ａは開状態、モード切替リレー補助接点１４ｂは閉状態となっている。この状態で、従来の制御回路と同様に、閉路操作の場合、まず、電源を接続することにより、リミットスイッチ８を介して、補助リレー１０のコイルが励磁され、補助リレー１０の接点が閉となり、リミットスイッチ８、及び補助リレー１０の接点を介して、電動機４が起動し、投入ばね２２の蓄勢を開始する。図３に示すように、投入ばね２２が完全蓄勢されると、リミットスイッチ８が開となり、電動機４は停止する。同時にリミットスイッチ７が閉となり、閉路制御回路が形成される。
【００１５】
この状態で、投入指令スイッチ１を閉とすることにより、投入指令コイル１２ａを介して、投入コイル５が励磁されて、操作機構部の投入ラッチ１６が解除され、蓄勢された投入ばね２２のエネルギーで図５に示すように遮断器は閉路（投入）される。この時、投入ばね２２の放勢によりリミットスイッチ８は閉となり、リミットスイッチ７は開となる。
【００１６】
それと同時に、投入指令アンサーリレー１２において、投入指令コイル１２ａが励磁されることにより、投入指令スイッチのアンサーバック接点１２ｂが出力される。
リミットスイッチ８が閉となることにより、電動機４は起動して投入ばね２２の蓄勢を行い、図６に示すように次の投入操作に備える。
遮断器が閉路（投入）されると、遮断器補助接点９ｂは開となり、投入コイル５の励磁を断つとともに、補助接点９ａは閉となり、電圧引外しコイル６の引外し回路を形成するとともに、ポンピング防止用の補助リレー１１を励磁する。
【００１７】
次に引外し操作について説明する。引外し指令スイッチ２を閉とすることにより、引外し指令コイル１３ａを介して、電圧引外しコイル６が励磁されて、操作機構部の引外しラッチ２０の係合が解除され、遮断器は開となる。それと同時に、引外し指令スイッチのアンサーバック接点１３ｂが出力される。
【００１８】
次に本発明による制御回路をもった遮断器を使って、稼動中に遮断器制御回路の健全性をチェックすることができる受配電設備の動作について説明する。
図７は、制御回路を示す回路図であり、遮断器の内部構成は、図１を簡素化して示している。
図において、１は投入指令スイッチ、２は引外し指令スイッチ、３１は瞬時過電流継電器出力、３２は過電流継電器出力、３３は地絡方向継電器出力であり、３はモード切替スイッチ、ＤＡ１／ＤＡ２はダイオードアレイ、４は電動機、５は投入コイル、６は電圧引外しコイル、９は遮断器補助接点、１２は投入指令アンサーリレーであり、投入指令コイル１２ａとアンサーバック接点１２ｂからなる。
【００１９】
１３は引外し指令アンサーリレーであり、引外し指令コイル１３ａとアンサーバック接点１３ｂからなる。
又、１４はモード切替リレー、１４ａ，１４ｂはモード切替リレー１４に連動するモード切替リレー補助接点である。
更に、３４はインターロック回路、３５は全体を監視する監視装置である。
【００２０】
次に動作について説明する。遮断器内部の動作は前述のとおりである。
図７において、インターロック回路３４等が正常な場合、監視装置３５よりモード切替スイッチ３を閉とされると、監視体勢に入り、投入指令スイッチ１を閉としても、モード切替リレー１４が励磁されて、モード切替リレー補助接点１４ａが閉、モード切替リレー１４ｂが開となるため、投入コイル５が励磁されない。
【００２１】
すなわち、遮断器の動作に変化がなく、遮断器は開の状態になっている。インターロック条件により、遮断器の投入指令がアクティブになったか、なっていないかの判断は、投入指令アンサーリレー１２の接点動作を監視することにより確認できる。即ち、インターロック回路３４等が正常であるかどうかは、投入指令コイル１２ａからアンサーバック接点１２ｂを経て、監視装置３５に信号が送られることにより検査できる。
【００２２】
また、モード切替スイッチ３が閉の場合、保護継電器３１〜３３が動作しても、モード切替リレー補助接点１４ａが閉で、モード切替リレー補助接点１４ｂが開であるので、電圧引外しコイル６が励磁されることはなく、強制的に保護継電器３１〜３３を動作させても問題はない。
即ち、引外し指令コイル１３ａからアンサーバック接点１３ｂを経て監視装置３５に信号が送られることにより、保護継電器３１〜３３が正常であるかどうかを監視することができる。
【００２３】
以上のことは、引外し指令スイッチ２の動作についても同様である。このように保護継電器３１〜３３、または引外し指令スイッチ２の動作の健全性については、引外し指令アンサーリレー１３の接点動作を監視することにより確認できる。
なお図８は、投入コイル５及び電圧引外しコイル６のみを短絡する場合を示した回路図、図９は以上の試験動作をまとめたフローチャートである。
【００２４】
このように、受配電設備が活線中であっても、遮断器制御回路の健全性、保護継電器３１〜３３の動作試験を行うことができる。
これにより、今日のように電力供給の重要度が高い環境において、定期点検のための停電がとりにくい受配電設備を、より信頼性の高い形で運用できるシステム構築が容易になる。
【００２５】
【発明の効果】
この発明の請求項１に係る遮断器の制御回路によれば、投入指令スイッチと、この投入指令スイッチの入動作により励磁される投入コイルと、引外し指令スイッチと、この引外し指令スイッチの入動作により励磁される電圧引外しコイルと、投入指令スイッチと直列に接続されたインターロック回路と、引外し指令スイッチと並列に接続された保護継電器と、モード切替スイッチを閉とすることにより制御信号が入力されても投入コイル及び電圧引外しコイルが動作しないようにするためのモード切替リレーと、モード切替スイッチを閉としたとき投入指令アンサーリレーを介して送られる信号によりインターロック回路の動作を監視するとともに、引外し指令アンサーリレーを介して送られる信号により保護継電器の動作を監視するための監視装置とを設けたので、受配電設備が活線中であっても、回路の動作試験を行なうことができるとともに、稼働中に回路の健全性をチェックすることができる。
【図面の簡単な説明】
【図１】この発明の実施の形態１による遮断器の制御回路を示す回路図である。
【図２】この発明の実施の形態１による遮断器を示す側面図である。
【図３】この発明の実施の形態１による遮断器を示す側面図である。
【図４】この発明の実施の形態１による遮断器を示す側面図である。
【図５】この発明の実施の形態１による遮断器を示す側面図である。
【図６】この発明の実施の形態１による遮断器を示す側面図である。
【図７】この発明の実施の形態１による遮断器の制御回路を示す回路図である。
【図８】この発明の実施の形態１による遮断器の制御回路を示す回路図である。
【図９】試験動作を示すフローチャートである。
【図１０】従来の遮断器の制御回路を示す回路図である。
【符号の説明】
１  投入指令スイッチ、２  引外し指令スイッチ、５  投入コイル、６  電圧引外しコイル、１２  投入指令アンサーリレー、１３  引外し指令アンサーリレー、１４  モード切替リレー、３４  インターロック回路、３５  監視装置。
【図１】
0004575550.tif 000002
【図２】
0004575550.tif 000003
【図３】
0004575550.tif 000004
【図４】
0004575550.tif 000005
【図５】
0004575550.tif 000006
【図６】
0004575550.tif 000007
【図７】
0004575550.tif 000008
【図８】
0004575550.tif 000009
【図９】
0004575550.tif 000010
【図１０】
0004575550.tif 000011